(57)【要約】【課題】定格電力の小さい電源部を使用できると共に、電源部の低コスト化及び小型化を効率的に実現することが可能な電子機器を提供する。【解決手段】電子機器は、外部から供給される電源の電力を蓄える蓄電素子３０３と、蓄電素子３０３に蓄えられた電力が供給される複数の負荷３０５と、蓄電素子３０３の電圧に基づいて、複数の負荷３０５のそれぞれに対して電力を供給するか否かを選択的に切換える制御手段３０４と、を備える。【選択図】図３
2010259279.tif 000002
【特許請求の範囲】
【請求項１】
外部から供給される電源の電力を蓄える蓄電素子と、
略定電圧の電力で駆動される第１の負荷と、
駆動電圧の安定化を必要としない第２の負荷と、を備え、
前記第１の負荷は、前記電源から電力が供給される略定電圧の電源電力供給経路に接続され、
前記第２の負荷は、前記蓄電素子の電圧に応じて電圧が変化する該蓄電素子からの放電経路に接続される、
ことを特徴とする電子機器。
【請求項２】
外部から供給される電源の電力を蓄える蓄電素子と、
略一定の電力を消費する第１の負荷と、
該第１の負荷より負荷変動が大きい第２の負荷と、を備え、
前記第１の負荷は、前記電源から電力が供給される電源電力供給経路に接続され、
前記第２の負荷は、前記蓄電素子の電圧に応じて電圧が変化する該蓄電素子からの放電経路、又は該蓄電素子からの電力が安定化された経路に接続される、
ことを特徴とする電子機器。
【請求項３】
前記蓄電素子から出力される電力の電圧を安定化させる安定化回路を備える
ことを特徴とする請求項１又は２に記載の電子機器。
【請求項４】
外部から供給される電源の電力を蓄える蓄電素子と、
前記蓄電素子に蓄えられた電力が供給される複数の負荷と、
前記複数の負荷のそれぞれに対して電力を供給するか否かを切換え可能な切換手段と、
前記蓄電素子の電圧に基づいて、前記切換手段を制御する制御手段と、を備える
ことを特徴とする電子機器。
【請求項５】
前記蓄電素子を設けた回路ブロックに流入する電流を制限する電流制限手段を備え、
前記切換手段は、前記電源からの電力が前記電流制限手段へ又はそれより前段へ供給される電源電力供給経路に、前記複数の負荷のそれぞれを接続するよう切換えが可能であり、
前記制御手段は、前記複数の負荷の状態に基づいて、前記複数の負荷のそれぞれについて前記電源電力供給経路に接続するか、前記蓄電素子からの放電経路に接続するかを切り換える制御を行う、
ことを特徴とする請求項４に記載の電子機器。
【請求項６】
前記蓄電素子に外部から供給される電源の電力を充電する充電手段を備え、
前記制御手段は、前記充電手段から前記蓄電素子の電圧情報を取得する、
ことを特徴とする請求項４に記載の電子機器。
【請求項７】
前記切換手段は、前記電源からの電力が前記充電手段へ又はそれより前段へ供給される電源電力供給経路に、前記複数の負荷のそれぞれを接続するよう切換えが可能であり、
前記制御手段は、前記複数の負荷の負荷変動の大きさに基づいて、前記複数の負荷のそれぞれについて前記電源電力供給経路に接続するか、前記蓄電素子からの放電経路に接続するかを切り換える制御を行う、
ことを特徴とする請求項６に記載の電子機器。
【請求項８】
前記蓄電素子を設けた回路ブロックに流入する電流を制限し、電流制限値を設定可能な電流制限手段を備え、
前記切換手段は、前記電源からの電力が前記電流制限手段へ又はそれより前段へ供給される電源電力供給経路に、前記複数の負荷のそれぞれを接続するよう切換えが可能であり、
前記制御手段は、外部から供給される電流の上限値から前記電源電力供給経路に接続する負荷の消費電流値の合計を引いた値と略同等の値又はその値未満の値を前記電流制限手段の電流制限値として設定する、
ことを特徴とする請求項４に記載の電子機器。
【請求項９】
前記蓄電素子を設けた回路ブロックに流入する電流を制限する電流制限手段と、外部から電力を供給する複数の電源入力部とを備え、
前記制御手段は、前記電源入力部の接続状態情報に基づき、前記負荷を該電源入力部に直接接続するか否かを判断する、
ことを特徴とする請求項４に記載の電子機器。
【請求項１０】
外部から供給される電源の電力を蓄える蓄電素子と、
前記蓄電素子に蓄えられた電力が供給される複数の負荷と、を備える電子機器の制御方法であって、
前記複数の負荷のそれぞれに対して電力を供給するか否かを切換える切換ステップと、
前記蓄電素子の電圧に基づいて、前記切換ステップでの切換えを制御する制御ステップと、を備える
ことを特徴とする電子機器の制御方法。
【請求項１１】
原稿から画像を読み取る画像読取手段と、
該画像読取手段と原稿との相対位置を移動する移動手段と、
該移動手段を駆動する駆動モータと、
外部から供給される電源の電力を蓄える蓄電素子と、を備え、
前記蓄電素子に蓄えられた電力により、前記駆動モータに流れる駆動電流の少なくとも一部をまかなうとともに、
前記蓄電素子の電圧が所定の値より低下した際に、前記駆動モータによる前記移動手段の駆動を一時休止する、
ことを特徴とする画像読取装置。
【請求項１２】
原稿から画像を読み取る画像読取手段と、
該画像読取手段と原稿との相対位置を移動する移動手段と、
該移動手段を駆動する駆動モータと、
外部から供給される電源の電力を蓄える蓄電素子と、を備える画像読取装置の駆動方法であって、
前記蓄電素子に蓄えられた電力により、前記駆動モータに流れる駆動電流の少なくとも一部をまかなうとともに、
前記蓄電素子の電圧が所定の値より低下した際に、前記駆動モータによる前記移動手段の駆動を一時休止する、
ことを特徴とする画像読取装置の駆動方法。
【発明の詳細な説明】
【技術分野】
【０００１】
本発明は、接続された負荷に対して電力を供給可能な電源部を備える画像読取装置等の電子機器、電子機器の制御方法、画像読取装置、画像読取装置の駆動方法に関する。
【背景技術】
【０００２】
画像読取装置やプリンタ等の電子機器に内蔵される電源装置は、原稿を搬送する為のモータ及び原稿を読み取る為のセンサ等の負荷で消費される電力を安定して供給するため、負荷変動により変化する消費電力の最大値に応じた定格電力を有する必要がある。
【０００３】
一方、電子機器のコストを抑える為、又は電子機器の小型化を図る為には電源装置についても低コスト化又は小型化が必要になり、それに伴う電力供給能力の低下を補う目的で、従来より様々な電源構成が提案されている。
【０００４】
例えば、電源部に２つの蓄電器を備え、一方の蓄電器が負荷に接続されて負荷を駆動しているときには、他方の蓄電器を充電させるように制御することにより、負荷変動に対応できる定格電力の小さい電源装置を内蔵する電子機器が提案されている（特許文献１）。
【０００５】
また、定電圧電源装置と蓄電電源装置とを備え、これらの電源を並列に接続して負荷に電力を供給することで、電源装置の定格電力を小さくした技術が提案されている（特許文献２）。
【先行技術文献】
【特許文献】
【０００６】
【特許文献１】特開２００７−０３３７５２号公報
【特許文献２】特開２００７−２０９１４９号公報
【発明の概要】
【発明が解決しようとする課題】
【０００７】
しかし、上記特許文献１の技術では、電源装置の定格電力を小さくできたとしても、蓄電器の数が多ければ、コストが高くつき、電源のサイズも大きくなるため、低コスト化及び小型化を達成することができない。
【０００８】
また、上記特許文献２の技術では、定電圧電源装置と蓄電電源装置とを並列に接続して、同一負荷へ電力を供給する場合は、それぞれから供給される電源の電圧が異なる等の不平衡を解消する為の回路が必須となり、コストが高くつき、電源のサイズも大きくなる。従って、上記特許文献１と同様に、低コスト化及び小型化を達成することができない。
【０００９】
また、ＡＣアダプタ等により外部から供給される電力によって駆動される比較的小型の画像読取装置やプリンタ等の電子機器では、機器とともに持ち運ぶＡＣアダプタの小型化及び低コスト化が望まれる。
【００１０】
また、ＵＳＢ等のインターフェイス用のケーブルにより外部から供給される電力によって駆動される比較的小型の画像読取装置やプリンタ等の電子機器においては、次のような問題がある。
【００１１】
すなわち、ＵＳＢ等のインターフェイス用のケーブルにより供給される電源電流値の上限は例えば最大０．５Ａ等と定められており、負荷変動の大きなシート搬送用のモータ等の負荷を駆動すると、十分な電力の供給ができず、性能が低下することがある。
【００１２】
そこで、本発明は、電子機器等において、定格電力の小さい電源部を使用できること、電源部の低コスト化、小型化、インターフェイス用ケーブルにより供給される電源電力で稼動する際に負荷変動を吸収して信頼性を向上することの少なくとも１つを目的とする。
【課題を解決するための手段】
【００１３】
上記目的を達成するために、本発明の電子機器は、外部から供給される電源の電力を蓄える蓄電素子と、略定電圧の電力で駆動される第１の負荷と、駆動電圧の安定化を必要としない第２の負荷と、を備え、前記第１の負荷は、前記蓄電素子への略定電圧の充電経路に接続され、前記第２の負荷は、前記蓄電素子の電圧に応じて電圧が変化する該蓄電素子からの放電経路に接続される、ことを特徴とする。
【００１４】
本発明の電子機器は、外部から供給される電源の電力を蓄える蓄電素子と、略一定の電力を消費する第１の負荷と、該第１の負荷より負荷変動が大きい第２の負荷と、を備え、前記第１の電圧は、前記蓄電素子への充電経路に接続され、前記第２の負荷は、前記蓄電素子の電圧に応じて電圧が変化する放電経路、又は該蓄電素子からの電力が安定化された経路に接続される、ことを特徴とする。
【００１５】
本発明の電子機器は、外部から供給される電源の電力を蓄える蓄電素子と、前記蓄電素子に蓄えられた電力が供給される複数の負荷と、前記複数の負荷のそれぞれに対して電力を供給するか否かを切換え可能な切換手段と、前記蓄電素子の電圧に基づいて、前記切換手段を制御する制御手段と、を備えることを特徴とする。
【００１６】
本発明の電子機器の制御方法は、外部から供給される電源の電力を蓄える蓄電素子と、前記蓄電素子に蓄えられた電力が供給される複数の負荷と、を備える電子機器の制御方法であって、前記複数の負荷のそれぞれに対して電力を供給するか否かを切換える切換ステップと、前記蓄電素子の電圧に基づいて、前記切換ステップでの切換えを制御する制御ステップと、を備えることを特徴とする。
【００１７】
本発明の画像読取装置は、原稿から画像を読み取る画像読取手段と、該画像読取手段と原稿との相対位置を移動する移動手段と、該移動手段を駆動する駆動モータと、外部から供給される電源の電力を蓄える蓄電素子と、を備え、前記蓄電素子に蓄えられた電力により、前記駆動モータに流れる駆動電流の少なくとも一部をまかなうとともに、前記蓄電素子に電力を蓄える際に、前記駆動モータによる前記移動手段の駆動を一次休止する、ことを特徴とする。
【００１８】
本発明の画像読取装置の駆動方法は、原稿から画像を読み取る画像読取手段と、該画像読取手段と原稿との相対位置を移動する移動手段と、該移動手段を駆動する駆動モータと、外部から供給される電源の電力を蓄える蓄電素子と、を備える画像読取装置の駆動方法であって、前記蓄電素子に蓄えられた電力により、前記駆動モータに流れる駆動電流の少なくとも一部をまかなうとともに、前記蓄電素子に電力を蓄える際に、前記駆動モータによる前記移動手段の駆動を一次休止する、ことを特徴とする。
【発明の効果】
【００１９】
本発明によれば、定格電力の小さい電源部を使用できると共に、電源部の低コスト化及び小型化を効率的に実現することが可能な電子機器を提供することができる。
【００２０】
また、本発明によれば、インターフェイス用のケーブルにより供給される電源電力によって稼動する場合において、負荷変動を吸収可能にして信頼性を向上できる電子機器を提供することができる。
【図面の簡単な説明】
【００２１】
【図１】本発明の電子機器の第１の実施形態である画像読取装置を説明するための概略断面図である。
【図２】図１に示す画像読取装置の要部の模式図である。
【図３】モータや読取ユニット等の負荷に電力を供給する電源部の一例を示すブロック図である。
【図４】電源部の動作例について説明するためのフローチャート図である。
【図５】本発明の電子機器の第２の実施形態である画像読取装置の電源部を説明するためのブロック図である。
【図６】制御ユニットの制御部において、蓄電素子から負荷に供給される電圧の変化率に基づき、負荷の必要電力量の確認や、負荷の動作状態や異常を検出する処理を説明するためのフローチャート図である。
【図７】本発明の電子機器の第３の実施形態である画像読取装置の電源部を説明するためのブロック図である。
【図８】本発明の電子機器の第４の実施形態である画像読取装置の電源部を説明するためのブロック図である。
【図９】本発明の電子機器の第５の実施形態である画像読取装置の電源部を説明するためのブロック図である。
【図１０】本発明の電子機器の第６の実施形態である画像読取装置の電源部を説明するためのブロック図である。
【図１１】本発明の電子機器の第７の実施形態である画像読取装置の電源部を説明するためのブロック図である。
【図１２】電源部の動作例について説明するためのフローチャート図である。
【図１３】図１２の電源部を画像読取装置の電源部として更に具体化した例を説明するためのブロック図である。
【図１４】図１１に示す電源部において、電流制限部の電流制限状態に基づき、負荷の接続を切り換える処理を説明するためのフローチャート図である。
【発明を実施するための形態】
【００２２】
以下、本発明の実施形態を図面を参照して説明する。
【００２３】
（第１の実施形態）
図１は本発明の電子機器の第１の実施形態である画像読取装置を説明するための概略断面図、図２は図１に示す画像読取装置の要部の模式図である。
【００２４】
図１及び図２に示すように、本実施形態の画像読取装置２００は、複数枚の原稿Ｆが積載される原稿台１が昇降モータ２により昇降駆動される。原稿検知センサ３は、原稿台１に積載された原稿Ｆを検知する。給紙ローラ４は、給紙モータ５により駆動され、原稿台１の原稿Ｆを給紙する。
【００２５】
給送ローラ６及び分離ローラ７は、それぞれ給送モータ８及び分離モータ９により駆動され、給紙ローラ４により給紙された原稿Ｆを一枚ずつ分離して搬送路に給送する。給紙モータ５、給送モータ８、分離モータ９は、本発明の駆動モータの一例である。給紙ローラ４、給送ローラ６、分離ローラ７は、原稿と後述する読取ユニットとの相対位置を移動する移動手段の一例を構成する。
【００２６】
分離ローラ７は、原稿Ｆを搬送路に給送する回転力を不図示のスリップクラッチを介して分離モータ９から常時受けているが、原稿Ｆが１枚の場合、原稿Ｆの給送力を受けてスリップクラッチにより給送ローラ６に追従回転を許容されて回転する。そして、分離ローラ７は、原稿Ｆが複数枚の場合、原稿Ｆを原稿台１に戻す方向に回転する。なお、分離ローラ７に代えて、分離ベルトを用いる場合もある。
【００２７】
搬送モータ１０は、分離給送後の原稿Ｆを読み取り位置から排出位置まで搬送するための搬送ローラ対２０，２１及び搬送ローラ対２２，２３等を駆動する。ニップ隙間調整モータ１１は、給送ローラ６と分離ローラ７との隙間、あるいは分離ローラ７に対する給送ローラ６の圧接圧を調整して、原稿Ｆの厚みに適合した隙間、あるいは圧接圧に調整して原稿Ｆの分離搬送がスムーズに行われるようにする。
【００２８】
読取ユニット１４，１５は、搬送されてきた原稿Ｆの画像を読み取るラインセンサと、画像読取用の光源とを備えており、光源の照射光が原稿Ｆの読取面で反射され、その反射光をラインセンサが受光することで、原稿Ｆの画像を読み取る。
【００２９】
排紙センサ１６は、原稿Ｆが読取ユニット１４，１５を通過して排紙部４４に排出されたことを検知する。レジストローラ対１７，１８は、一時的に停止して原稿Ｆが下流側に搬送されるのを制限することで、原稿Ｆの斜行を修正する。レジストクラッチ１９は、搬送モータ１０の回転をレジストローラ１８に伝達したり、遮断したりする。
【００３０】
搬送ローラ対２０，２１及び搬送ローラ対２２，２３は、原稿Ｆを排紙部４４に搬送する。上ガイド板４０と下ガイド板４１との２つのガイド板は、ローラ対６，７、レジストローラ対１７，１８、搬送ローラ対２０，２１、搬送ローラ対２２，２３に挟まれて搬送される原稿Ｆを案内する。
【００３１】
図３は、外部電源からの電力を蓄積しながら各モータ２，４，８，９，１０，１１や読取ユニット１４，１５等の負荷への電力の供給を制御する電源部の一例を示すブロック図である。
【００３２】
図３に示す電源部３００Ａは、不図示のＡＣアダプタ等の外部電源が接続される。電源部３００Ａは、電源が投入されると、外部入力用端子を備えた外部電源入力部３０１からの充電経路に接続された電流制限部３０２を介して蓄電素子３０３に電力を蓄えると共に、負荷３０５への電力の供給を行う。すなわち、電源制限部３０２は、蓄電素子３０３を設けた回路ブロックへ流入する電流を制限する。
【００３３】
蓄電素子３０３から負荷３０５への電力の伝送経路（放電経路）はスイッチを介して接続され、蓄電素子３０３からの電力は安定化されることなく駆動モータ等の負荷３０５へ供給される。これにより、駆動モータに流れる駆動電流は、電流制限部３０２からの電流でまかなわれるとともに、その一部は蓄電素子３０３からの電流でまかなわれることになる。なお、大容量の蓄電素子を用いる場合は、外部からの電力供給が切断されても、しばらくの間は駆動モータの駆動電流の全てを蓄電素子から供給して、読取動作を継続することができる。蓄電素子３０３には、例えば短時間で充電可能で充放電耐久性の高い電気二重層キャパシタなどを用いる。なお、蓄電素子３０３の端子電圧は、蓄電量にほぼ比例するものとする。
【００３４】
ここで、電流制限部３０２で電流制限を行う利点は、蓄電素子３０３の充電時の過電流と接続した負荷の過電流による外部電源の過負荷を防止出来ることである。但し、例えば外部電源に過負荷防止機能がある場合は、電流制限部３０２を省略して外部電源入力部３０１と蓄電素子３０３とを直接接続しても良い。
【００３５】
図４は、電源部３００Ａの動作例について説明するためのフローチャート図である。なお、ここでは、複数の負荷３０５を、それぞれ負荷３０５−１、負荷３０５−２、負荷３０５−３として説明する。
【００３６】
外部電源入力部３０１からの電源供給により本処理を開始すると、電圧検知部３０６は、充電が始まったことにより上昇する蓄電素子３０３の端子電圧を測定する（ステップＳ１００１）。
【００３７】
そして、ステップＳ１００２、ステップＳ１００５及びステップＳ１００８では、供給制御部３０４は、電圧検知部３０６で測定された蓄電素子３０３の電圧値がどこまで上昇したかを基に、例えば閾値１〜閾値３を用いて負荷３０５−１〜３０５−３へ電力を供給するか否かを判断する。ここで、閾値１〜閾値３は、閾値１＜閾値２＜閾値３とし、負荷３０５−１〜３０５−３の負荷変動率、最低駆動電圧、重要度を考慮して設定する。
【００３８】
ステップＳ１００２では、供給制御部３０４は、電圧検知部３０６による蓄電素子３０３の測定電圧値が閾値１以上か否かを判断し、測定電圧値が閾値１以上の場合は、ステップＳ１００４に進み、測定電圧値が閾値１未満の場合は、ステップＳ１００３に進む。
【００３９】
ステップＳ１００４では、供給制御部３０４は、充電の進行により蓄電素子３０３の端子電圧が所定の電圧に達して、負荷３０５−１に対して電力を供給可能な状態となっており、負荷３０５−１への電力の供給を開始し、ステップＳ１００５に進む。
【００４０】
ステップＳ１００３では、供給制御部３０４は、蓄電素子３０３の端子電圧が所定の電圧を超えていないので、負荷３０５−１への電力の供給がすでに開始されていれば停止し、ステップＳ１００５に進む。
【００４１】
ステップＳ１００５では、供給制御部３０４は、電圧検知部３０６による蓄電素子３０３の測定電圧値が閾値２以上か否かを判断し、測定電圧値が閾値２以上の場合は、ステップＳ１００７に進み、測定電圧値が閾値２未満の場合は、ステップＳ１００６に進む。
【００４２】
ステップＳ１００７では、供給制御部３０４は、充電の進行により蓄電素子３０３の端子電圧が負荷３０５−２に対して電力を供給可能な電圧に達したと判断し、負荷３０５−２への電力の供給を開始し、ステップＳ１００８に進む。
【００４３】
ステップＳ１００６では、供給制御部３０４は、蓄電素子３０３の端子電圧が所定の電圧に達していないと判断し、負荷３０５−２への電力の供給を停止し、ステップＳ１００８に進む。
【００４４】
ステップＳ１００８では、供給制御部３０４は、電圧検知部３０６による蓄電素子３０３の測定電圧値が閾値３以上か否かを判断し、測定電圧値が閾値３以上の場合は、ステップＳ１０１０に進み、測定電圧値が閾値３未満の場合は、ステップＳ１００９に進む。
【００４５】
ステップＳ１０１０では、供給制御部３０４は、充電の進行により蓄電素子３０３の端子電圧が負荷３０５−３に対して電力を供給可能な電圧に達したと判断し、負荷３０５−３への電力の供給を開始し、ステップＳ１０１１に進む。
【００４６】
ステップＳ１００９では、供給制御部３０４は、蓄電素子３０３の端子電圧が所定の電圧に達していないと判断し、負荷３０５−３への電力の供給を停止し、ステップＳ１００２に戻る。
【００４７】
なお、供給制御部３０４は、電流制限部３０２の電流制限値を越えない範囲で蓄電素子３０３の充電を常時行っているものとするが、電流制限部等を制御して必要なタイミングで充電するようにしてもよい。
【００４８】
また、供給制御部３０４での制御に関しては、ＣＰＵを用いた制御でも良いし、電力の供給開始／停止の切換の閾値を設け、コンパレータ等のハードウェアを用いた制御でも良い。また、各閾値は、装置の動作状態や動作モードに応じて可変してもよく、電力の供給状態から停止状態への閾値と、停止状態から供給状態への閾値を適時変更してもよい。
【００４９】
以上説明したように、本実施形態では、外部電源の電流容量を小さくしても、蓄電素子３０３に蓄えられた電力を放電することにより、負荷３０５に対して必要な電力を供給することができる。
【００５０】
また、蓄電素子３０３に対して昇圧、降圧する充電制御回路を用いなくてよいため、電流制限部３０２のみの簡単な構成として、電源部３００Ａの低コスト化及び小型化を実現することができる。なお、負荷３０５−１〜３０５−３とは異なり、電源電圧の安定化が必要な不図示の負荷については、外部電源入力部３０１から電力の供給を受ける略定電圧の電源電力供給経路に接続されているものとする。
【００５１】
（第２の実施形態）
次に、図５及び図６を参照して、本発明の電子機器の第２の実施形態である画像読取装置の電源部を説明する。なお、上記第１の実施形態に対して重複又は相当する部分については、図及び符号等を流用して説明する。
【００５２】
図５は、本発明の第２の実施形態である画像読取装置の電源部を説明するためのブロック図である。
【００５３】
本実施形態では、図５に示すように、電源部３００Ｂの蓄電素子３０３の端子電圧値は制御ユニット３１０によって監視される。制御ユニット３１０は、Ａ／Ｄ変換器３０９及び制御部３０８を備え、Ａ／Ｄ変換器３０９により蓄電素子３０３の端子電圧値がデジタルデータに変換されて制御部３０８に入力される。
【００５４】
制御部３０８は、外部電源入力部３０１より電源供給を開始すると、電流制限部３０２からの電流の流入により充電が始まるので蓄電素子３０３の端子電圧値を調べる。そして、制御部３０８は、端子電圧値を基に、上記第１の実施形態と同様に、閾値を用いて負荷３０５へ電力を供給するか否かを判断して、負荷３０５への電力の供給／停止を切換える。
【００５５】
また、本実施形態では、制御部３０８は、電流制限部３０２を介して接続された蓄電素子３０３から負荷３０５に電力を供給する際の蓄電素子３０３の端子電圧の変化を監視する。これにより、負荷３０５の必要とする消費電流値の確認や、負荷の動作状態や異常を検出できるようになっている。
【００５６】
図６は、制御部３０８において、蓄電素子３０３から負荷３０５に供給される電圧の変化率に基づき、負荷３０５の必要とする消費電流値の確認や、負荷の動作状態や異常を検出する処理を説明するためのフローチャート図である。
【００５７】
電源投入とともに本処理が始まると、蓄電素子３０３とすべての負荷３０５とを未接続状態にしたままで電流制限部３０２で制限された所定の電流値で蓄電素子３０３の充電が始まる。従って、ステップＳ１１０１では、制御部３０８は、蓄電素子３０３の端子電圧を調べる。
【００５８】
ステップＳ１１０２では、制御部３０８は、電流制限部３０２の電流値と蓄電素子３０３の容量とから蓄電素子３０３の端子電圧の上昇率の正常値を計算する。
【００５９】
そして、制御部３０８は、蓄電素子３０３の充電時における端子電圧の上昇率が前記正常値から定めた閾値以下か否かを判断し、閾値以下の場合は、ステップＳ１１０４に進み、閾値を超える場合は、ステップＳ１１０３に進む。
【００６０】
ステップＳ１１０４では、制御部３０８は、蓄電素子３０３や電流制限部３０２等が異常であると判断し、処理を終了する。
【００６１】
ステップＳ１１０３では、制御部３０８は、蓄電素子３０３の充電により端子電圧が電圧閾値まで上昇したか否かを判断し、電圧閾値まで上昇した場合は、ステップＳ１１０５に進み、充電が不十分である場合は、ステップＳ１１０２に戻る。
【００６２】
ステップＳ１１０５では、制御部３０８は、蓄電素子３０３と所定の負荷３０５とを接続して蓄電素子３０３から負荷３０５に電力を供給し、ステップＳ１１０６に進む。
【００６３】
ステップＳ１１０６では、制御部３０８は、蓄電素子３０３の電圧変化率から求めた負荷３０５の消費電流値が所定の範囲内か否かを判断する。
【００６４】
ここで、接続した負荷３０５が消費する電流値が電流制限部３０２で制限した電流値以下である場合においては、蓄電素子３０３の電圧はさらに上昇することになる。また、接続した負荷３０５が消費する消費電流値が電流制限部３０２で制限した制限電流値を超える場合には、蓄電素子３０３の電圧は降下する。これらのことから、負荷３０５の消費電流値を求めることができる。
【００６５】
従って、制御部３０８は、蓄電素子３０３の端子電圧の変化率から求めた負荷３０５の消費電流値が所定の範囲内の場合は、負荷３０５は正常と判断して、ステップＳ１１０８に進む。また、制御部３０５は、蓄電素子３０３の端子電圧の変化率から求めた負荷３０５の消費電流値が所定の範囲から外れる場合は、負荷３０５が異常と判断して、ステップＳ１１０７に進む。なお、負荷３０５は標準的な動作状態にしておいて上記判断を行うことが望ましい。また、負荷変動の大きな負荷については、あらかじめどの程度の変動があるかを認識しておくことが望ましい。
【００６６】
ステップＳ１１０７では、制御部３０８は、蓄電素子３０３と負荷３０５との接続を解除し、処理を終了する。
【００６７】
ステップＳ１１０８では、制御部３０８は、負荷３０５を接続した際の蓄電素子３０３の電圧変化率から求めた負荷３０５の消費電流値を不図示の記憶部に記憶し、処理を終了する。
【００６８】
ここで記憶された消費電流値は、以降の通常動作で蓄電素子３０３と負荷３０５との接続可否を決定する際の閾値を定めるための情報として用いる。以上の処理を接続する全ての負荷に対して行うことで、全ての負荷が異常であるか否かを検出する事が出来る。
【００６９】
本実施形態では、大容量の蓄電素子３０３にスイッチを介してほぼ直接負荷３０５を接続する構成である。このため、接続する負荷３０５により電流制限値を超える過負荷状態になっても蓄電素子３０３の電圧降下は比較的緩やかであり、負荷変動による急激な電圧降下を回避することができる。
【００７０】
従って、蓄電素子３０３に過大な負荷を接続した際にも、電圧降下で誤動作になる前に蓄電素子３０３と負荷３０５との接続を解除すればよく、特に、負荷がモータ等であり、モータロックによる過負荷状態である場合等に装置全体の誤動作を回避することができる。また、負荷毎に実装しているヒューズ等の異常検出素子や回路が不要になる。
【００７１】
（第３の実施形態）
次に、図７を参照して、本発明の電子機器の第３の実施形態である画像読取装置の電源部を説明する。なお、上記第１の実施形態に対して重複又は相当する部分については、図及び符号等を流用して説明する。
【００７２】
図７は、本発明の第３の実施形態である画像読取装置の電源部を説明するためのブロック図である。
【００７３】
本実施形態では、図７に示すように、電源部４００が負荷３０５への電力供給経路を複数持ち、具体的には、電流制限部３０２の入力側から及び蓄電素子３０３の端子からのそれぞれ負荷３０５へ電力を供給する経路を持つ。
【００７４】
そして、供給制御部３０４は、各負荷３０５の負荷変動率、最低駆動電圧、重要度を考慮して、電源電力供給経路に接続するか、蓄電素子３０３からの電力を供給する経路（放電回路）に接続するかを選択的に切換え制御する。ここでの電源電力供給経路は、電流制限部３０２の入力側に外部電源の電力を供給する経路である。
【００７５】
例えば、負荷３０５がＤＣモータ等の駆動モータである場合は、負荷変動率が大きいが、駆動電圧が低くてもモータの回転速度を下げて消費電流を減らすことで対応可能であり、動作上大きな問題にはならない。また、デジタル回路を駆動する電源に関しては、２Ｖ以下の電圧でも問題なく動作する負荷も多くある。
【００７６】
しかし、例えば原稿照明に用いる白色ＬＥＤ等では、負荷変動が少ないことが特徴である一方、電源電圧が低下すると十分な光量が得られず、画像の読取動作に支障をきたす。本実施形態では、蓄電素子３０３の出力電圧は負荷の状態に応じて大きく変化する為、原稿照明用の白色ＬＥＤなどは蓄電素子３０３から電力を供給すると電圧低下で動作不良になる。
【００７７】
そこで、本実施形態では、供給制御部３０４は、負荷変動が比較的少なく、安定した駆動電圧を必要とする照明系の負荷（第１の負荷）３０５に関しては、電流制限部３０２の入力側の電力供給経路を選択して接続する。
【００７８】
これに対し、供給制御部３０４は、負荷変動が大きく、最低駆動電圧が低い負荷（第２の負荷）３０５（例えばＤＣモータ）の場合には、蓄電素子３０３からの電力を供給する経路を選択する。
【００７９】
蓄電素子３０３からの電力を供給するように経路を選択した場合は、供給制御部３０４は、上記第１の実施形態と同様に、電圧検知部３０６で測定された蓄電素子３０３の電圧値を基に、閾値を用いて負荷３０５への電力の供給／停止を切換える。
【００８０】
負荷３０５に対して電力供給経路の選択を変更した際には、画像読取装置の読取動作を休止して電力を蓄えることが可能な間欠動作モードに移行させるための閾値である間欠開始電圧を設定する。ここでの間欠開始電圧の設定は、蓄電素子３０３からの電力を供給する経路に接続された負荷３０５のうち、最も高い最低駆動電圧を持つ負荷を基準に行われる。
【００８１】
例えば、この間欠開始電圧より蓄電素子３０３の電圧が低下した場合には、間欠動作モードに移行し、装置の動作を一時休止するとともに、負荷３０５の動作を停止させて電力の消費がほとんどない状態にする。そして、蓄電素子３０３の電圧が十分に上昇した後に、各負荷３０５を動作させて画像読取動作を再開する。なお、画像読取装置の動作状態の変更や、外部電源入力部３０１に接続する外部電源の変更等により、各負荷３０５に対する電源供給経路を変更する毎に間欠開始電圧を変更するのが望ましい。
【００８２】
このように、本実施形態では、電力の供給経路を複数持ち、各負荷３０５の接続経路を複数の異なる供給経路から選択出来る様に構成し、接続経路を選択する際に、各負荷３０５の最低駆動電圧を考慮する事で、効果的な電源経路管理が行える。
【００８３】
これにより、低い駆動電圧で動作する負荷と、高い駆動電圧を必要とする負荷を認識して適切に接続経路を切り換える事で、蓄電素子３０３に蓄えた電力を効率的に利用する事が出来る。なお、電流制限部に電流制限値は、供給制御部３０４等から設定可能であり、負荷の接続経路の変更時に電流制限値を変更する。また、電流制限値を０とすること等で充電を停止できるようにしてもよい。
【００８４】
（第４の実施形態）
次に、図８を参照して、本発明の電子機器の第４の実施形態である画像読取装置の電源部を説明する。なお、上記第１の実施形態に対して重複又は相当する部分については、図及び符号等を流用して説明する。
【００８５】
図８は、本発明の第４の実施形態である画像読取装置の電源部を説明するためのブロック図である。
【００８６】
本実施形態では、図８に示すように、電流制限部３０２の出力側に充放電回路部４０６が配置され、充放電回路部４０６がスイッチを介して直接負荷３０５に接続される。また、充放電回路部４０６には、蓄電素子３０３が接続されて、蓄電素子３０３の端子電圧から電圧を安定化した出力を生成して負荷３０５へ供給される。
【００８７】
供給制御部３０４は、充放電回路部４０６から得られる蓄電素子３０３の電圧情報を基に、上記第１の実施形態と同様に、閾値を用いて負荷３０５への電力の供給／停止を切換える。
【００８８】
充放電回路部４０６および供給制御部３０４での制御に関しては、ＣＰＵを用いた制御でも良いし、充放電の切換及び電力の供給開始／停止切換の夫々の閾値電圧を設け、コンパレータ等のハードウェアを用いて制御しても良い。
【００８９】
本実施形態では、外部電源部の電流容量を小さくしても、蓄電素子３０３に蓄えられた電力を安定化しながら放電することにより、供給先の負荷３０５に対して安定した電力を供給することができる。
【００９０】
また、充放電回路部４０６及び蓄電素子３０３に外部から供給される電流に対して電流制限部３０２で電流値の制限を加える事で、外部電源が過負荷になることを防止することができる。
【００９１】
更に、充放電回路部４０６を設けることで、蓄電素子３０３への過充電を防止することができ、蓄電素子３０３がショートした場合にも安全に保護することができる。
【００９２】
また、充放電回路部４０６から負荷３０５に対して供給される電圧は、充放電回路部４０６が備える不図示の安定化回路により略定電圧になるよう制御されている。上記第１の実施形態では、蓄電素子３０３に対してほぼ直接負荷３０５を接続していたため、接続可否の閾値は、蓄電素子３０３の蓄電量にほぼ比例する端子電圧に加えて、負荷３０５の最低駆動電圧を考慮して設定しなければならない。
【００９３】
これに対し、本実施形態では、接続する負荷３０５の最低駆動電圧を考慮する必要はなく、負荷３０５に応じて電圧を安定化して略一定に保つことにより、負荷接続の可否を決定する際の制限条件が緩和され、蓄電素子３０３の電力を有効に使用する事が出来る。なお、複数の負荷３０５がそれぞれ異なる電源電圧であれば、安定化回路の出力も複数の電圧を出力することになる。
【００９４】
（第５の実施形態）
次に、図９を参照して、本発明の電子機器の第５の実施形態である画像読取装置の電源部を説明する。なお、上記第１及び第４の実施形態に対して重複又は相当する部分については、図及び符号等を流用して説明する。
【００９５】
図９は、本発明の第５の実施形態である画像読取装置の電源部を説明するためのブロック図である。
【００９６】
本実施形態では、図９に示すように、電源部６００は、電流制限部３０２とその後段の充放電回路部４０６を介して負荷３０５へ電圧が安定化された電力を供給する経路を有する。また、電源部６００は、充放電回路部４０６を介さずに電流制限部３０２の入力側からの経路（電源電力供給経路）に接続して負荷３０５へ電力を供給する経路を有する。なお、電流制限部３０２の入力側端子からの経路に限定せず、それより前段の回路であって、略定電圧の電源電力供給経路に、負荷３０５を接続する経路を有していてもよい。
【００９７】
そして、供給制御部３０４は、充放電回路部４０６を介して負荷３０５へ電力を供給するか、充放電回路部４０６を介さずに電流制限部３０２の入力側から負荷３０５へ電力を供給するか、負荷３０５への電力の供給を停止するかを決定する。
【００９８】
蓄電素子３０３の電圧変動のある端子電圧は、充放電回路部４０６を介することで電圧が安定化される。必要であれば、昇圧を行ってもよい。このような放電経路に接続して負荷３０５へ電力を供給する場合は、上記第４の実施形態と同様に、供給制御部３０４は、充放電回路部４０６から得られる蓄電素子３０３の電圧情報を基に、閾値を用いて負荷３０５への電力の供給／停止を切換える。
【００９９】
ここで、略定常の負荷である負荷３０５に対しては、電流消費量が定常である事から、電流制限部３０２や蓄電素子３０３を利用する効果がない。従って、本実施形態では、あらかじめ定常負荷に対して見込まれる消費電流を設定しておき、定常負荷を電流制限部３０２の入力側に接続するとともに、外部電源の電流容量から定常負荷の消費電流を差し引いた値を、電流制限部３０２の電流制限値に設定する。
【０１００】
このときの定常負荷の消費電流は、各負荷に対して予め固定値を設定してあっても良い。また、上記第１の実施形態と同様に、各負荷３０５を充放電回路部４０６を介した経路に試験的に接続し、電流制限部３０２からの電流値変化に関する情報や蓄電素子３０３の端子電圧の変化率から消費電流を求めてもよい。
【０１０１】
本実施形態では、電流制限部３０２で定めた電流制限値内で蓄電素子３０３を充電すると同時に、蓄電素子３０３を介して負荷変動が大きい負荷３０５へ電力を供給する。これにより、負荷変動が大きい負荷３０５による電流消費量の変化を効果的に平滑化することができる。
【０１０２】
また、定常電力を消費する負荷３０５に対しては電流制限部３０２や充放電回路部４０６を介さずに電力を供給する事で、電流制限部３０２や充放電回路部４０６を通る最大電流値が低下し、制御素子を小型にすることができる。
【０１０３】
（第６の実施形態）
次に、図１０を参照して、本発明の電子機器の第６の実施形態である画像読取装置の電源部を説明する。なお、上記第１及び第５の実施形態に対して重複又は相当する部分については、図及び符号等を流用して説明する。
【０１０４】
図１０は、本発明の第６の実施形態である画像読取装置の電源部を説明するためのブロック図である。
【０１０５】
本実施形態では、図１０に示すように、電源部７００は、外部電源入力部３０１及び電流制限部３０２をそれぞれ複数有する。
【０１０６】
また、電源部７００は、充放電回路部４０６を介して負荷３０５へ電力を供給する経路と、充放電回路部４０６を介さずに外部電源入力部３０１から負荷３０５へ電力を供給する経路とを有する。
【０１０７】
そして、供給制御部３０４は、充放電回路部４０６を介して負荷３０５へ電力を供給するか、充放電回路部４０６を介さずに外部電源入力部３０１から負荷３０５へ電力供給するか、または負荷３０５への電力の供給を停止するかを決定する。
【０１０８】
充放電回路部４０６を介して負荷３０５へ電力を供給する場合は、上記第５の実施形態と同様に、供給制御部３０４は、充放電回路部４０６から得られる蓄電素子３０３の電圧情報を基に、閾値を用いて負荷３０５への電力の供給／停止を切換える。
【０１０９】
ここで、あらかじめ負荷３０５の特性が分かっている場合は、負荷変動の大きな負荷であれば、電流制限部３０２及び充放電回路部４０６を経由して電力供給し、定常負荷であれば、電流制限部３０２も充放電回路部４０６も経由せずに電力供給する。
【０１１０】
また、あらかじめ得た定常負荷の電流消費量を用いて、外部電源の電流容量から定常負荷の電流消費量（要求電流値）の合計を差し引いた値を、電流制限部３０２の電流制限値とする。
【０１１１】
この電流制限値内で充放電回路部４０６が蓄電素子３０３を充電すると同時に、蓄電素子３０３を介して複数の負荷３０５のうちの負荷変動の大きな負荷へ電力を供給する。これにより、負荷変動の大きな負荷による電流消費量の変化を効果的に平滑化することができる。
【０１１２】
また、外部電源入力部３０１の電源仕様が分かっている場合には、定常負荷に対しては電源容量のより小さい外部電源入力部から電力供給を行い、変動負荷に対しては電源容量のより大きい外部電源入力部から電力供給を行うようにすることもできる。
【０１１３】
これにより、外部から入力される電源電力を効率的に使用して、変動負荷に対する電源供給の平滑化をより効果的に達成でき、複数の外部電源入力部３０１を備えた電源部７００において、負荷３０５に対して効率良く電力を供給することができる。
【０１１４】
（第７の実施形態）
次に、図１１〜図１４を参照して、本発明の電子機器の第７の実施形態である画像読取装置の電源部を説明する。なお、上記第１、第５及び第６の実施形態に対して重複又は相当する部分については、図及び符号等を流用して説明する。
【０１１５】
図１１は、本発明の第７の実施形態である画像読取装置の電源部を説明するためのブロック図である。
【０１１６】
本実施形態では、図１１に示すように、電源部８００は、複数の外部電源入力部３０１を有する。
【０１１７】
また、電源部８００は、充放電回路部４０６を介して負荷３０５へ電力を供給する経路と、充放電回路部４０６を介さずに外部電源入力部３０１から負荷３０５へ電力を供給する経路とを有する。
【０１１８】
そして、供給制御部３０４は、充放電回路部４０６を介して負荷３０５へ電力を供給するか、充放電回路部４０６を介さずに外部電源入力部３０１から負荷３０５へ電力供給するか、又は負荷３０５への電力の供給を停止するかを決定する。
【０１１９】
充放電回路部４０６を介して負荷３０５へ電力を供給する場合は、上記第６の実施形態と同様に、供給制御部３０４は、充放電回路部４０６から取得される蓄電素子３０３の電圧情報を基に、閾値を用いて負荷３０５への電力の供給／停止を切換える。
【０１２０】
外部電源入力部３０１から負荷３０５へ電力供給する場合は、供給制御部３０４は、上記第５の実施形態と同様な制御を行う。
【０１２１】
ここで、本実施形態では、供給制御部３０４は、外部電源入力部３０１に接続している外部電源の状態情報を得る事が出来る。一般に、外部電源の状態情報は、外部電源の電圧等によって判断する事が多い。簡単な手段としては、入力電圧が一定の閾値を越えたかどうかで判断する手段や、入力電圧に応じて出力される制御信号を変更する制御変更手段を用いる方法がある。複雑な手段としては、一定の負荷電流を消費する負荷を接続し、その負荷電流による入力電圧変化を調べて判断しても良い。より複雑で高度な手段としては、外部電源入力部３０１に外部電源から入力された専用の制御信号を出力可能とし、この制御信号により外部電源の状態情報を得る方式もある。本実施形態では、前述のいずれの手段を用いてもよい。
【０１２２】
本実施形態では、供給制御部３０４は、外部電源入力部３０１に外部電源が接続されているかを外部電源接続情報から判断し、外部電源が接続されている場合は、外部電源の数や種類に基づき、電源部８００での電力の供給経路の接続状態を変更する。
【０１２３】
上記制御のための外部電源接続情報としては、接続した外部電源の電圧や接続した入力部の場所等の検出結果、および、不図示の外部電源状態の設定部などによりユーザが設定した情報等のいずれかを用いる。
【０１２４】
また、外部電源入力部３０１に外部電源を接続した際に、電流制限部３０２を介して充放電回路部４０６に接続し、電流制限部３０２により規定された一定電流を流されたことに対する外部電源の電圧変化を用いて外部電源に関する情報を得る事も出来る。
【０１２５】
電源投入時においては、蓄電素子３０３は十分に放電されており、蓄電が完了するまでに十分な時間がある。この時間を利用し、外部電源入力部３０１から電流制限部３０２を介して一定電流を流す負荷が接続された状態を実現し、外部電源に関する情報を取得することもできる。
【０１２６】
次に、図１２を参照して、電源部８００の動作例について説明する。ここでは、２つの外部電源入力部３０１を外部電源入力部３０１−１及び外部電源入力部３０１−２として説明する。
【０１２７】
ステップＳ１２０１では、供給制御部３０４は、外部電源入力部３０１−１を電流制限部３０２に接続し、ステップＳ１２０２に進む。このとき、供給制御部３０４は、電流制限部３０２の電流制限値は０とし、充放電回路部４０６には電力を供給しない。なお、電流制限値を０とするのではなく、接続を切ってもよい。
【０１２８】
ステップＳ１２０２では、供給制御部３０４は、外部電源入力部３０１−１の電圧を測定して、不図示の記憶部に記憶し、ステップＳ１２０３に進む。
【０１２９】
ステップＳ１２０３では、供給制御部３０４は、ステップＳ１２０２で記憶した電圧測定値が閾値以上であるか否かを判断する。そして、供給制御部３０４は、電圧測定値が閾値以上であれば、ステップＳ１２０４に進み、電圧測定値が閾値以上でなければ、外部電源入力部３０１−１に外部電源が接続されていないと判断し、ステップＳ１２０９に進む。
【０１３０】
ステップＳ１２０４では、供給制御部３０４は、負荷特性の測定を継続して行う為に電流制限部３０２の電流制限値を低い値に設定し、ステップＳ１２０５に進む。ここでは、特性の違った外部電源に対応する為に急激に電流値を上げる事無く徐々に上げていく。この電流制限値の設定値は、接続する外部電源の種類だけ用意するのが望ましい。
【０１３１】
ステップＳ１２０５では、供給制御部３０４は、外部電源入力部３０１−１の電圧を測定して、不図示の記憶部に記憶し、ステップＳ１２０６に進む。
【０１３２】
ステップＳ１２０６では、供給制御部３０４は、ステップＳ１２０５で記憶した電圧測定値が閾値以上か否かを判断する。そして、供給制御部３０４は、電圧測定値が閾値以上であれば、ステップＳ１２０７に進み、電圧測定値が閾値以上でなければ、外部電源入力部３０１−１に接続された外部電源は使用不可と判断し、ステップＳ１２０９に進む。
【０１３３】
ステップＳ１２０７では、供給制御部３０４は、電流制限部３０２の電流制限値を高い値に設定し、ステップＳ１２０８に進む。
【０１３４】
ステップＳ１２０８では、供給制御部３０４は、外部電源入力部３０１−１の電圧を測定して、不図示の記憶部に記憶し、ステップＳ１２０９に進む。
【０１３５】
ステップＳ１２０９では、供給制御部３０４は、電流制限部３０２の電流制限値を０に戻し、外部電源入力部３０１−１の接続を解除し、ステップＳ１２１０に進む。
【０１３６】
以降、ステップＳ１２１０〜ステップＳ１２１８において、外部電源入力部３０１−２に対して、上記ステップＳ１２０１〜１２０９までの同様の処理を行う。ここまでの動作は、蓄電素子３０３が十分に充電されるまでに行う事で、無駄な負荷に接続する事無く、外部電源の接続状態情報を検知する事が可能になる。
【０１３７】
また、既に蓄電素子３０３の充電電圧が外部電源入力部３０１の電圧と略同等に上昇している場合には、先の実施形態で述べた負荷特性の測定を行い、蓄電素子３０３の電圧が低下した後に図１２の処理を実施することで電力の無駄をなくすことができる。
【０１３８】
これらの外部電源接続状態の設定や、外部電源接続状態情報の検知により判明した外部電源に対して、負荷３０５の割り振りを行う。
【０１３９】
接続する負荷３０５の特性を求める方式は、前述の実施形態で説明したのと同じ様にあらかじめ設定しておく方式と、負荷を逐次接続して電流制限部３０２の電流値を用いて検出する方式とがある。これより求めた負荷３０５の特性を用いて、外部電源の電流容量を越えないように、負荷変動の少ない負荷から順に外部電源入力部３０１に直接接続して行く。
【０１４０】
このとき、外部電源の総供給電流値に対して全負荷による最大総電流値（負荷変動も含んだ値）が下回る場合には、外部電源入力部３０１と負荷３０５のすべてを直接接続してよい。なお、このとき、電流制限部３０２や充放電回路部４０６、蓄電素子３０３等の動作を停止してもよい。
【０１４１】
この様に制御することで、外部電源入力部から負荷へ中継する回路を削減し、中継する回路部での電力消費量を削減出来る。
【０１４２】
また、接続する負荷の最大総電流値が外部電源の電流容量を越える場合は、越えた分の負荷以上の負荷分を電流制限部３０２に接続する。特に、負荷変動の大きな負荷は充放電回路部４０６の出力側に接続するのが望ましい。これにより、負荷変動の大きな負荷は蓄電素子３０３により最大電流値が平準化される。本実施形態では、負荷変動が大きな負荷としてモータ駆動回路等を想定している。
【０１４３】
また、このときの電流制限部３０２の制限電流値は、外部電源の最大供給電流値から外部電源入力部３０１と負荷３０５を直接接続した分の最大総電流値を引いた値以下になるように調整される。この様に調整して、外部電源入力部３０１に接続する負荷の最大総電流値が外部電源の電流容量を越えない様に制御する。
【０１４４】
これにより、外部から入力される電源を効率的に使用して、変動負荷に対する電源供給の平滑化をより効果的に達成できる。また、外部電源入力部３０１の接続状態に応じて電流制限部３０２や充放電回路部４０６等の使わない回路を停止する事で、全体の省エネが図れる。従って、複数の外部電源入力部３０１を備えた電源部８００において、負荷３０５に対して効率良く電力を供給することができる。
【０１４５】
図１３は、図１２の電源部８００を画像読取装置の電源部として更に具体化した例を説明するためのブロック図である。
【０１４６】
図１３に示す電源部９００は、外部電源入力部３０１−１にホスト装置からのＵＳＢ電源が接続され、外部電源入力部３０１−２にホスト装置からの他のＵＳＢ電源、ＡＣアダプタ或いはバッテリ等が接続される。
【０１４７】
負荷３０５には、搬送モータ３０５−１、表面用の読取ユニットのＣＩＳセンサ３０５−２、照明ＬＥＤ３０５−３、裏面用の読取ユニットのＣＩＳセンサ３０５−４、照明ＬＥＤ３０５−５が配置される。また、負荷３０５には、レジストセンサ３０５−６、原稿検知センサ３０５−７、メモリ３０５−８が配置される。
【０１４８】
メモリ３０５−８は、画像処理したデータを保存するためのメモリであり、必要に応じてＲＡＭや不揮発性メモリで構成される。また、メモリ３０５−８は、コネクタ等のＩ／Ｆを介して装置に対して着脱可能な構成でもよい。
【０１４９】
外部電源入力部３０１−１に接続されるＵＳＢ電源は、ＵＳＢインターフェイスから供給される電源であり、電源供給能力が低いローパワーモードと、電源供給能力が高いハイパワーモードがある。この電源供給能力の違いについては、ＵＳＢインターフェイスによる外部機器との通信にて情報を得ることができる。
【０１５０】
外部電源入力部３０１−２に接続されるＵＳＢ電源、ＡＣアダプタ或いはバッテリ等は、出力電圧や電源供給能力に差があり、その電源供給能力の差は、電源の種類の差だけでなく、同種類の電源でも差が発生する。従って、外部電源入力部３０１−２に接続される電源の電源供給能力を事前に確認する事は、装置の効率を上げる上で非常に有効である。
【０１５１】
電流制限部３０２は、蓄電素子３０３への充放電を制御する充放電回路部４０６への供給電流値を制限する。この電流制限値は設定で変えることができる。
【０１５２】
蓄電素子３０３は、電気２重層コンデンサ等で構成されており、電源投入時にはたいていの場合充電されていない。蓄電素子３０３の充電が完了するまで、電流制限部３０２には、電流制限値に略等しい電流が流れる。このとき、外部電源入力部３０１−１に接続されたＵＳＢ電源から蓄電素子３０３に充電する接続をやめて外部電源入力部３０１−２からの電力により充電する接続に変更する。これにより、外部電源入力部３０１−２に接続される他のＵＳＢ電源、ＡＣアダプタ或いはバッテリ等に大きな負荷を加える事が出来る。そして、このときの外部電源入力部３０１−２の電圧変化率を検知する事で、外部電源入力部３０１−２に接続した電源の種類、電源供給能力を確認できる。
【０１５３】
また、蓄電素子３０３に充電する状態を外部電源に関する情報の取得に利用する事で、電源部に対して十分な負荷を加えると同時に、流れた電流が蓄電素子３０３の充電に用いられるため、電力の無駄を防ぐ事も出来る。
【０１５４】
供給制御部３０４は、画像読取装置の動作状態、外部電源入力部３０１−１，３０１−２の接続状態、負荷の状態を考慮して、各負荷３０５−１〜３０５−８の接続を切り換える。負荷３０５−１〜３０５−８の中で負荷変動の大きい負荷が存在するか否かを判定する為には、簡易的に充放電回路部４０６に上記負荷を接続し、蓄電素子３０３の電圧変化率に基づき各負荷の消費電流の変動を求めることができる。
【０１５５】
例えば搬送モータ３０５−１等はモータの効率や搬送部の摩擦等で必要電力が大きく変化する。一方、照明ＬＥＤ３０５−３，３０５−５においては、電源電圧の変動により発光光量に大きな差が出る事が良く知られている。
【０１５６】
以上の動作にて、電源部９００の電源供給能力と負荷３０５−１〜３０５−８の必要電力を正確に求める事が出来る。
【０１５７】
次に、供給制御部３０４は、画像読取装置の動作状態を考慮して、負荷３０５−１〜３０５−８を適切に接続変更する。
【０１５８】
例えば、外部電源入力部３０１−２に何も接続せず外部電源入力部３０１−１のＵＳＢ電源のみで動作する場合について説明する。
【０１５９】
供給制御部３０４は、常に動作し、比較的負荷変動が少なく消費電流の小さな負荷３０５は外部電源入力部３０１−１のＵＳＢ電源の供給上限を越えない範囲で、該ＵＳＢ電源に直接接続する。その後、供給制御部３０４は、電流制限部３０２の電流制限値を外部電源入力部３０１−１のＵＳＢ電源の上限値から該ＵＳＢ電源に直接接続した負荷３０５の分の消費電流を引いた値に設定変更する。
【０１６０】
次に、供給制御部３０４は、負荷変動の大きな負荷３０５を電流制限部３０２に接続し、残りの負荷３０５を充放電回路部４０６の出力側に接続する。各部に接続した負荷３０５は、画像読取装置の動作状態によっては接続しない場合もある。
【０１６１】
この様な接続を行う事で、ＵＳＢ電源が供給する以上の電流を消費する動作状態となる動作モードであっても蓄電素子３０３の充放電を用いて例えば１枚又は複数枚の読取を終わるごとに充電のため休止時間をとる間欠動作とする事が可能となる。これにより、複数の原稿の読取を順次実行する事が可能になる。またこれと同時に、装置の動作状態による負荷変動に対して蓄電素子３０３の蓄電容量が少なくても対応する事が出来る。この結果、ＵＳＢインターフェイス用等のインターフェイスケーブルにより供給される電源電力によって稼動する画像読取装置において、負荷変動を吸収可能にして信頼性を向上できる。なお、間欠動作モードは、１枚の原稿の読取の途中で充電のための休止時間を取るような動作モードであってもよい。
【０１６２】
次に、外部電源入力部３０１−２に電源が接続される場合について説明をする。
【０１６３】
供給制御部３０４は、前述の手段にて外部電源入力部３０１−２に接続した電源が十分な電源供給能力があると判断した場合には、その電源に見合った分の負荷３０５を外部電源入力部３０１−２に直接接続する。
【０１６４】
例えば、外部電源入力部３０１−２に接続した電源が外部装置からの他のＵＳＢ電源であることがわかっている場合には、該ＵＳＢ電源の供給能力を越えない範囲の負荷３０５を外部電源入力部３０１−２に接続する。そして、残りの負荷変動が大きな負荷３０５は、放電回路部４０６の出力側に接続する。
【０１６５】
次に、供給制御部３０４は、外部電源入力部３０１−２に電源電圧の安定性が比較的高く、電源供給能力の高いＡＣアダプタ等が接続される場合は、全ての負荷３０５−１〜３０５−８を外部電源入力部３０１−２に直接接続する。
【０１６６】
この場合、外部電源入力部３０１−２から蓄電素子３０３に電力を供給する経路を切断してもよい。これにより、電流制限部３０２や充放電回路部４０６を介さずに負荷へ電源を供給する事が出来、無駄な電力の消費をなくすことが出来る。
【０１６７】
また、供給制御部３０４は、外部電源入力部３０１−２に電源供給能力の低いバッテリが接続されていることがわかっている場合は、極力バッテリの電力を使用しないように負荷３０５を接続する。
【０１６８】
例えば比較的変動が少なく小さな負荷３０５や、必要とする電源電圧が比較的高い負荷３０５は、外部電源入力部３０１−１の電源供給能力を越えない範囲で外部電源入力部３０１−１のＵＳＢ電源に直接接続する。
【０１６９】
次に、供給制御部３０４は、外部電源入力部３０１−２のバッテリを電流制限部３０２に接続した後、残った負荷を充放電回路部４０６に接続する。これにより、負荷変動の少ない負荷、すなわち常時電力を消費する負荷は外部電源入力部３０１−１のＵＳＢ電源に接続する事になり、定常的負荷によるバッテリの消耗を回避する事が出来る。
【０１７０】
また、バッテリの放電量制限を電流制限部３０２で設定出来ると同時に、負荷変動によるバッテリ電圧の低下による不具合の発生を蓄電素子３０３を用いて効果的に回避出来る。
【０１７１】
図１４は、図１１に示す電源部８００において、電流制限部３０２の電流制限状態に基づき、負荷３０５の接続を切り換える処理を説明するためのフローチャート図である。
【０１７２】
ステップＳ１３０１では、供給制御部３０４は、２つの外部電源入力部３０１のいずれかと複数の負荷３０５のいずれかを接続する際に、電流制限部３０２の電流制限状態を確認する。ここで、電流制限部３０２の電流制限値は、例えば、外部電源入力部の供給電力の上限値に設定しておく。
【０１７３】
そして、供給制御部３０４は、電流制限部３０２に流れる電流値が、電流制限部３０２の電流制限値と略同等、すなわち電流制限値の上限値に達している場合には、画像読取装置の動作を保留する。また、供給制御部３０４は、蓄電素子３０３の充電が完了する等の要因で、電流制限部３０２に流れる電流値が電流制限値未満になった事を確認すると、ステップＳ１３０２に進む。
【０１７４】
ステップＳ１３０２では、供給制御部３０４は、外部電源入力部３０１の供給電力の上限値から接続する負荷３０５の要求電流値を引いた値を新たな電流制限部３０２の電流制限値に設定し、ステップＳ１３０３に進む。
【０１７５】
ステップＳ１３０３では、供給制御部３０４は、電流制限部３０２に流れる電流値が新たな電流制限値未満になった事を確認すると、ステップＳ１３０４に進む。
【０１７６】
ステップＳ１３０４では、供給制御部３０４は、外部電源入力部３０１に対して負荷３０５を直接接続し、処理を終了する。
【０１７７】
これにより、電流制限部３０２より入力側に負荷３０５を接続する際、外部電源入力部３０１が過負荷状態になるのを避ける事ができ、また、接続変更のタイミングを精度良く検知する事が出来る。
【０１７８】
このように、外部電源入力部３０１の電源供給能力と負荷３０５の必要電力を適時検知し、それに合わせて電力の供給制御を行う事で、電力を有効に活用し、少ない電力で確実な画像読取動作が行える。また、画像読取動作に必要な蓄電素子３０３として不必要に大きな素子を使用しない構成にすることができる。
【０１７９】
なお、本発明は、上記各実施形態に例示したものに限定されるものではなく、本発明の要旨を逸脱しない範囲において適宜変更可能である。
【０１８０】
例えば、上記各実施形態では、原稿を搬送して画像を読み取る画像読取装置について説明したが、静止した原稿から画像を読み取るフラットヘッドスキャナ等でもよい。また、画像読取機能を持たないプリンタや外部記憶装置であってもよい。また、上記各実施形態の構成要素を他の実施形態に追加してもよく、本発明に含まれる。
【０１８１】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１８２】
この場合、記憶媒体から読み出されたプログラムコード自体が前述した実施形態の機能を実現することになり、そのプログラムコード及び該プログラムコードを記憶した記憶媒体は本発明を構成することになる。
【０１８３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１８４】
また、コンピュータが読み出したプログラムコードを実行することにより、上記実施形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１８５】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１８６】
Ｆ  原稿
１  原稿台
２  昇降モータ
３  原稿検知センサ
４  給紙ローラ
５  給紙モータ
６  給送ローラ
７  分離ローラ
８  給送モータ
９  分離モータ
１０  搬送モータ
１１  ニップ隙間調整モータ
１４，１５  読取ユニット
１６  排出センサ
１７，１８  レジストローラ
１９  レジストクラッチ
２０，２１  搬送ローラ
２２，２３  搬送ローラ
２００  画像読取装置
３００Ａ  電源部
３０１  外部電源入力部
３０２  電流制限部
３０３  蓄電素子
３０４  供給制御部
３０５  負荷
３０６  電圧検知部
３１０  制御ユニット
４０６  充放電回路部
【図１】
2010259279.tif 000003
【図２】
2010259279.tif 000004
【図３】
2010259279.tif 000005
【図４】
2010259279.tif 000006
【図５】
2010259279.tif 000007
【図６】
2010259279.tif 000008
【図７】
2010259279.tif 000009
【図８】
2010259279.tif 000010
【図９】
2010259279.tif 000011
【図１０】
2010259279.tif 000012
【図１１】
2010259279.tif 000013
【図１２】
2010259279.tif 000014
【図１３】
2010259279.tif 000015
【図１４】
2010259279.tif 000016